(57)【要約】【課題】パチンコやスロットルなどの遊技台を設置する遊技台島での分煙器具を設置する場合、置きタバコの分煙が解決されていないこと、また、分煙仕切り板の取り付けが堅固に固定する必要があるため床から補強部材を立ち上げて固定するなど工事に手間と費用が掛かるものであった。【解決手段】仕切り板の取り付け器具の設置で置きタバコの分煙ができるようにし、また、取り付け器具が遊技台の膳板に堅固に取り付けられるようにするとともに、遊技台島の膳板の出巾に拘わらずに汎用性を有して取り付け出来、さらにこの堅固な固定状態を利用して腕置き台が取り付けできるようにした。【選択図】図１５
2014131563.tif 000002
【特許請求の範囲】
【請求項１】
遊技台島の腰部前方に突出して設けられた膳板における、玉落下防止の土手状部を備えた先端部から、遊技台載置板の立ち上がり壁までの上面に設置する取り付け器具であり、土手状部より立ち上がり壁までの膳板の上面を遊技者ごとに区画且つ間仕切りするようにして膳板に固定したことを特徴とする遊技台島の仕切り板の取り付け器具。
【請求項２】
上記の取り付け器具は、膳板の上面に設置する下端部を、膳板上面の形状と近似させて、膳板に固定したことを特徴とする前記請求項１に記載の遊技台島の仕切り板の取り付け器具。
【請求項３】
上記の取り付け器具は、仕切り板の挿入間隙を備えた溝板と、この溝板の下側に設けた把持部材と、溝板の先端部に設けた取り付け板とで構成し、溝板を膳板上に配置して膳板の土手状部を把持部材で把持且つ止着し、他方、取り付け板を立ち上がり壁に当接して止着することで膳板に固定することを特徴とする前記請求項１および請求項２に記載の遊技台島の仕切り板の取り付け器具。
【請求項４】
上記の取り付け器具は、仕切り板の挿入間隙を備え先端部に取り付け板を設けた溝板と、下側に把持部材を備えたスライド板とで構成し、スライド板を溝板の仕切り板の挿入間隙内にスライド自在に設けて、膳板の出巾の大小に対応して把持部材が把持且つ止着できるようにしたことを特徴とする前記請求項１および請求項２に記載の遊技台島の仕切り板の取り付け器具。
【請求項５】
上記の把持部材は、膳板の土手状部を上下より咥えるコ型とし、土手状部の下面に対向する把持部に螺着した止めネジで膳板の下面側より押圧止着することを特徴とする前記請求項３および請求項４に記載の遊技台島の仕切り板の取り付け器具。
【請求項６】
上記の溝板は、仕切り板の挿入箇所にネジを貫通止着して仕切り板を固定したことを特徴とする前記請求項３および請求項４に記載の遊技台島の仕切り板の取り付け器具。
【請求項７】
上記の溝板は、仕切り板の挿入間隙内にスペーサーを固着して挿入間隙巾を保持し、仕切り板を取り外し自在に取り付けたことを特徴とする前記請求項３および請求項４に記載の遊技台島の仕切り板の取り付け器具。
【請求項８】
上記の取り付け器具は、遊技者側個所に腕置き台を設けたことを特徴とする前記請求項１乃至請求項７に記載の遊技台島の仕切り板の取り付け器具。
【請求項９】
上記の腕置き台は下側に差込部を備え、取り付け器具の溝板には受け部を形成してこの受け部に差込部を挿入して腕置き台を着脱自在に設けたことを特徴とする前記請求項８に記載の遊技台島の仕切り板の取り付け器具。
【請求項１０】
上記の腕置き台は、差込部の下端に掛止部を設け、一方、溝板の受け部の底部にナットを設け、このナットに上向きに操作ネジを螺入してネジ先端で腕置き台の掛止部を支承し、腕置き台の高さ位置が可変できるようにしたことを特徴とする前記請求項９に記載の遊技台島の仕切り板の取り付け器具。
【請求項１１】
上記の腕置き台は、取り付け器具側に起立自在として設けて、遊技台との干渉防止を計ったことを特徴とする前記請求項８に記載の遊技台島の仕切り板の取り付け器具。
【発明の詳細な説明】
【技術分野】
【０００１】  本発明は遊技店に於いて、パチンコやスロットルなどの遊技台を設置する遊技台島に設けて、遊技者の左右両側を仕切ってタバコの分煙を促す仕切り板の取り付け器具に関する。
【背景技術】
【０００２】  遊技店でのタバコの分煙は、遊技者が吐き出す煙と、火のついたタバコを灰皿に放置したままの置きタバコの煙の２種類の分煙が必要とされる。
後者の置きタバコの煙は刺激臭があるうえに前者に比べて特に成分が有害であるが、遊技店では遊技に夢中となる等特殊な環境にあり、火のついたタバコが灰皿に放置されることが多くこの分煙対策が求められている。遊技店での灰皿は、遊技台島の腰部に突出して玉箱を載せる膳板に設けられているが、この膳板の上面を遊技者ごとに区画して仕切ることでこの分煙が可能となる。然しながら、膳板の出巾および上面の形状が様々であるため、この上面を区画して仕切るには現場単位での設計が必要となり、量産を背景とした分煙の仕切り板では対応できないため対策が放置されている。【０００３】  また、仕切り板は膳板の先端から手前側、即ち、遊技者の頭を隠す程度迄突出させないと本来の分煙の効果が期待できないものであり、反面この突出した仕切り板は邪魔なものでもあり遊技者が衝突したりするため堅固な取り付け手段を必要とする。また、店側に於いても遊技台の入れ替え工事などで邪魔になるものである。【０００４】  また、遊技者の遊技台のハンドルを握る手の疲労を軽減させるための手置き台が普及しているが、これらは分煙の仕切り板を設置する場合にこの取り付け器具に付属的に設ければ膳板への取り付けが１箇所で済むため単独に新たに設置するより合理的である。これらのスタンドは疲労軽減の目的を考慮するなら手を支えるのではなく、腕の肘近辺を支えるようにすることが理想的である。しかし、この腕の支持個所は膳板の手前側のため真下には支持をする個所が無く、このような腕置き台の設置は取り付け強度に配慮が必要となる。また、これらの腕置き台も仕切り板と同様に店側の点検や工事の時に邪魔になるものである。【０００５】
【先行技術文献】
【特許文献】
【０００６】
【特許文献１】特許公開２００７−２９４９６号
【実用新案文献１】
実用新案登録第３１３６４３２号
【実用新案文献２】
実用新案登録第３１６２４１６号
【０００７】
【発明の概要】
【発明が解決しようとする課題】
【０００８】  上述の先行技術（特許文献１）（実用新案文献１）では（煙遮断板）（煙遮蔽板）の取り付けにあたり、床から立ち上げた（支持脚）（仕切り手段）に下端部を取り付けしているが、（支持脚）（仕切り手段）の床への取りつけ工事は、床にアンカーボルト等で固定することになり構造物自体が大規模でコスト高になり、工事に於いても手間と費用がかかるものであった。【０００９】  また、（煙遮蔽板）の遊技台島側の端部は台間柱と玉供給装置等の他装置との間隙に差し込むことで取り付けに替えている。然しながら台間柱と他装置との間隙を一定とすることは遊技台島の構造に鑑みて無理なため、結果として（煙遮蔽板）の端部は左右にガタついたまま放置されることになる。（煙遮蔽板）に遊技者が衝突した場合、上記のように取りつけの基端部がガタついているので衝撃による振れ巾が多いために遮蔽板の破損原因になっている。【００１０】  遊技台島は遊技台をパチンコからスロットルに変更したり、更には遊技台間の装置の変更によって遊技台相互の隣接間隔が変わるので、その都度に上記の（煙遮断板）（煙遮蔽板）の位置も同様に移動を余儀なくされる。しかし前述の取り付け構造では、取り外しての移動が難しい上に、移動後に床や膳板等に取り付け穴が残りこれらの補修は困難であった。【００１１】  また、膳板の手前側となる（仕切り手段）の上部個所および（煙遮蔽板）との取り付け個所は、遊技者がパチンコ台のハンドルを握った状態で腕や肘があたりやすい位置である。この干渉を防ぐため（仕切り手段）および（煙遮蔽板）は遊技台より外側に遠ざけて設置することになり、遊技台の隣接間隔を広げる必要があり、結果として１列の遊技台島の遊技台は減台されることとなり不合理な結果になっている。【００１２】  また、（煙遮蔽板）の下端を延長して膳板の上面を遊技者ごとに区画して仕切る場合、膳板の出巾と上面形状が遊技台島ごとに異なるので（煙遮蔽板）は互換性がなく破損交換等の場合多種類の在庫が必要で不経済であり、また灰皿の近傍で仕切ることになるので透明プラスチツク等の材質上、コゲや燃焼が生じる危険がある。また前述のように（煙遮蔽板）がガタついていると、この下端部が遊技台の玉の打ち出し振動に共振する場合がありクレームの原因となっている。【００１３】  また、床から立ち上げた（支持脚）（仕切り手段）に設けられた腕置き台は固定して取り付けられているので遊技台の入れ替え等の工事で邪魔になるため簡易に取り外せるようにする必要があり、さらに遊技台の開閉の障害になる場合は、その都度に取り外すような煩雑なことができないので邪魔にならないように膳板の下側に反転させる（実用文献２）などの必要があり、また遊技者の体格や遊技での姿勢は多様であるので腕置き台の高さは可変調整できないと実用には供せない。
上記の（実用文献２）では腕置き台を膳板先端の下側で枢支して、膳板の下側に反転忌避させるようにしているが、このように枢支個所１点に腕および体の荷重が集中する構造は、膳板が木製であることを考慮すると耐久性に問題がある。【００１４】  この発明は、上記の従来の欠点の解消を課題としている。即ち、膳板に備えた灰皿の置きタバコの煙が隣の遊技者に影響を与えないように分煙することを第一の目的としている。【００１５】  また、第２の目的は、分煙の仕切り板の取り付け器具の設置と兼用して上記の分煙を行うことにある。【００１６】  また、第３の目的は、仕切り板の取り付け器具を前記の分煙が完全に行なわれるような状態で膳板上に固定することにあり、これが後述の腕置き台の設置を考慮した取り付け強度で行うことにある。【００１７】  また、第４の目的は、仕切り板の取りつけ器具が膳板の上面の出巾および形状の変化に拘わらずに膳板に固定できることにある。【００１８】  また、第５の目的は、仕切り板の取り付け器具の膳板先端部への取りつけが、膳板の上面にキズをつけること無く、前記の第３の目的に適うような堅固な状態で行なえるようにすることにある。【００１９】  また、第６の目的は、取り付け器具への仕切り板の取り付けが相互に強度を補完するような状態で行なうことにある。【００２０】  また、第７の目的は、取り付け器具への仕切り板の取り付けが、仕切り板が簡易に取り外しできるような状態で行なうことにある。【００２１】  また、第８の目的は、仕切り板の取りつけ器具に腕置き台を設けて、装置としての合理化を促すことにある。【００２２】  また、第９の目的は、上記の腕置き台が取り付け器具より簡易に外せるようにすることにある。【００２３】  また、第１０の目的は、腕置き台は高さを可変調整できるようにして取りつけ器具に設けることにある。【００２４】  また、第１１の目的は、腕置き台は遊技台との干渉を防ぐ上で反転忌避させるにあたり、耐久性のある取りつけ構造とすることにある。
【課題を解決するための手段】
【００２５】  本発明の遊技台島の仕切り板の取り付け器具は、遊技台島の腰部前方に突出して設けられた膳板における、玉落下防止の土手状部を備えた先端部から、遊技台載置板の立ち上がり壁までの上面に設置する取り付け器具であり、土手状部より立ち上がり壁までの膳板の上面を遊技者ごとに区画且つ間仕切りするようにして膳板に固定するようにした。【００２６】  また、上記の取り付け器具は、膳板の上面に設置する下端部を、膳板上面の形状と近似させて、膳板に固定するようにした。【００２７】  また、上記の取り付け器具は、仕切り板の挿入間隙を備えた溝板と、この溝板の下側に設けた把持部材と、溝板の先端部に設けた取り付け板とで構成し、溝板を膳板上に配置して膳板の土手状部を把持部材で把持且つ止着し、他方、取り付け板を立ち上がり壁に当接して止着するようにした。【００２８】  また、上記の取り付け器具は、仕切り板の挿入間隙を備え先端部に取り付け板を設けた溝板と、下側に把持部材を備えたスライド板とで構成し、スライド板を溝板の仕切り板の挿入間隙内にスライド自在に設けて、膳板の出巾の大小に対応して把持部材が把持且つ止着できるようにした。【００２９】  また、上記の把持部材は、膳板の土手状部を上下より咥えるコ型とし、土手状部の下面に対向する把持部に螺着した止めネジで膳板の下面側より押圧止着するようにした。【００３０】  また、上記の溝板は、仕切り板の挿入箇所にネジを貫通止着して仕切り板を固定するようにした。【００３１】  また、上記の溝板は、仕切り板の挿入間隙内にスペーサーを固着して挿入間隙巾を保持し、仕切り板を取り外し自在に取り付けるようにした。【００３２】  また、上記の取り付け器具は、遊技者側個所に腕置き台を設けるようにした。【００３３】  また、上記の腕置き台は下側に差込部を備え、取り付け器具の溝板には受け部を形成してこの受け部に差込部を挿入して腕置き台を着脱自在に設けるようにした。【００３４】  また、上記の腕置き台は、差込部の下端に掛止部を設け、一方、溝板の受け部の底部にナットを設け、このナットに上向きに操作ネジを螺入してネジ先端で腕置き台の掛止部を支承し、腕置き台の高さ位置が可変できるようにした。【００３５】  また、上記の腕置き台は、取り付け器具側に起立自在として設けて、遊技台との干渉防止を計るようにした。
以上の解決手段によって上記の課題が解決される。
【発明の効果】
【００３６】  本発明は、上記のように構成したので、膳板に備えられた灰皿の置きタバコの煙が分煙でき隣の遊技者に直接的に影響を及ぼすことがない。また、この分煙が特に別の部材を必要とせずに膳板に仕切り板の取り付け器具を設置することで行なえ、さらに透明プラスチック製の仕切り板が直接的にタバコに接することはないので燃焼等の事故の心配がない。また、膳板の上面が仕切られているので、誤って落下した玉が隣の遊技者側に転がって行くことがない副次的な効果がある。【００３７】  また、取り付け器具は、膳板の先端部と基端部の前後２箇所で止着されるので、膳板前方への抜けや、膳板先端での左右のズレが防止され堅固に固定される。また、仕切り板も同様にガタつきなく取りつけられるので遊技台による振動の影響を受けることがない。【００３８】  また、この取り付け工事が従来の床から立ち上げ固定する（支持脚）や（仕切り手段）等に比べて短時間で行なえ、簡略化した構造とで相乗する経済的な効果は大きい。【００３９】  また、取り付け器具の取り外しも簡易に行なえるので、遊技台島の装置変更による遊技台の移動等工事にも対応できる。また、取り付け器具の膳板への取り付けは、膳板の上面にキズを付けること無く行なえるので、前記の移動工事に於いても、従来のように床にアンカーボルトの跡が残るようなことがない。【００４０】  また、仕切り板や取り付け器具が邪魔にならないので、従来の（支持脚）や（仕切り手段）のように遊技台の隣接間隔を広げる必要が無く、従って遊技台を減台する必要が無い。【００４１】  また、仕切り板は取り付け器具に着脱自在としているので、遊技台の入れ替え等にあたって取り外すことができ、さらに取り付け器具内部のスペーサーによって仕切り板の挿入間隙は一定に保たれているので、取り外しに支障を期たすことがない。【００４２】  また、上記に説明した膳板に堅固に固定された取り付け器具に、さらに腕置き台を設けたので、腕置き台は従来のように床から立ち上げた支持脚が無くとも同様に堅固に取り付けられる。また、単独で取り付ける場合に比べて装置としての合理化が促される。【００４３】  また、腕置き台は遊技台の入れ替え等に於いて、邪魔になる場合は簡易に取り外すことができ、また、この高さは可変調整できるので実用的である。また、腕置き台は遊技台の開閉時に干渉する場合は上方に反転して忌避することができ、この反転構造は取り付け器具側、即ち取り付け器具の長手個所としたので取り付け器具との枢着領域が長く形成でき、従来の反転構造に比較して耐久性がある。
【図面の簡単な説明】
【００４４】
【図１】この発明の仕切り板の設置状態を示す遊技台島の正面図
【図２】仕切り板の取り付け状態を示す図１の縦断面図
【図３】仕切り板の取り付け器具を示す断面図
【図４】図３の４−４線に沿う平断面図
【図５】図３の５−５線に沿う平断面図
【図６】仕切り板の取り付け器具を示す断面図
【図７】図６の７−７線に沿う断面図
【図８】図６の８−８線に沿う断面図
【図９】取り付け器具の分解斜視図
【図１０】取り付け器具の分解斜視図
【図１１】水平差込板の他の実施例を示す平面図
【図１２】水平差込板の他の実施例を示す平面図
【図１３】台間柱が湾曲している場合の仕切り板の取り付け状態を示す縦断面図
【図１４】仕切り板の正面図
【図１５】他の実施例を示す仕切り板の設置状態を示す側面図
【図１６】図１５の正面図
【図１７】図１５の取り付け器具の拡大図
【図１８】図１７の１８−１８線に沿う断面図
【図１９】図１７の１９−１９線に沿う断面図
【図２０】腕置き台の取りつけ状態を示す分解斜視図
【図２１】腕置き台を設けた取り付け器具の分解斜視図
【図２２】取り付け器具の一部切り欠き側面図
【図２３】図２２の２３−２３線に沿う断面図
【図２４】他の仕切り板の取り付け状態を示す分解図
【図２５】取り付け器具の分解斜視図
【図２６】他の取り付け器具を示す側面図
【図２７】図２６の２７−２７線に沿う断面図
【図２８】図２６の仕切り板の取り付け状態を示す断面図
【図２９】図２８の仕切り板の操作状態を示す側面図
【図３０】図２９の仕切り板の操作状態を示す側面図
【図３１】他の取り付け器具を示す分解斜視図
【図３２】図３１の取り付け器具に仕切り板を取り付けた側面図
【発明を実施するための形態】
【００４５】  この発明はパチンコ台やスロットル台等の遊技台を設置する遊技台島の仕切り板の取り付け器具に関し、以下、図面に基づいて説明する。
【００４６】  図１および図２は遊技台１（図はパチンコ台を示している）を設置した遊技台島２を示し、遊技台島２は膳板３を形成した下部横架部材４とこれに平行した上部横架部材５と、この上下の部材間に立設して遊技台１の区画６を形成した台間柱７とで構成している。遊技台１の隣接間にはパチンコ玉の供給装置８や紙幣やカードの挿入装置等が設けられており、遊技台の設置間隔にあわせて台間柱７の巾が決定される。
【００４７】  この発明の仕切り板９は透明もしくは半透明の樹脂板であり、台間柱７の前面に配置して取り付けられる。
【００４８】  台間柱７は図９で示したように金属板の左右両側を折り曲げて補強部１０とし、上端部１１と下端部１２にビス穴１３、１４を備えた水平な取り付け部１５、１６を形成している。この台間柱７は遊技台島２への取り付けに於いて、上下１〜２ｍｍ程度のクリアランスを保持して上部横架部材５と下部横架材４との間に挿入され、前面１７を遊技台島２の前面と同一として上端部１１と下端部１２をビス１８、１９で上部横架部材５と下部横架部材４に止着している。
【００４９】  仕切り板９は、取り付け器具２０と取り付け器具２１で遊技台島２に取り付けるが、図９は取り付け器具２０を示している。この取り付け器具２０は逆Ｌ型で水平差込板２２を形成した取り付け板２３と、仕切り板９を挿入する溝板２４とで構成している。水平差込板２２と溝板２４は溶接等で一体とするが、水平差込板２２は台間柱７の取り付け間隙に差し込むものであり厚みが比較的薄く限定されるため、補強板２５によって溝板２４に固着している。
【００５０】  水平差込板２２は台間柱７の取り付け間隙に差し込むにあたり、図５で示したように台間柱７の上端部１１を止めるビス１８と干渉しないように長溝２７が設けられている。また、取り付け板２３は台間柱７の前面１７との対向面に剥離紙を備えた両面接着紙２９を貼り付けしている。仕切り板９を上部取り付け手段２０によって遊技台島２へ取り付けるには、台間柱７の上端部１１のビス１８を外して手前側に引き出し、上記の剥離紙を剥いで水平差込板２２を台間柱７の上端部１１に合わせて接着仮止めし、この仮止め状態で台間柱７を上部横架材５の下側に戻してビス１８を再度止着する。この状態で仕切り板９を溝板２４に挿入して双方のネジ穴３０、３１にワッシャー３２を介してネジ３３を貫通してナット３４で止着する。仕切り板９は溝板２４への挿入に於いて、下端部３５が下方の溝板３６で移動を制限されるので溝板２４を多少上向きに曲げて入れることになるがネジ３３の止着後に元に復帰する。
【００５１】  図１０は取り付け器具２１を示している。取り付け器具２１は、仕切り板９を挿入する溝板３６と、この遊技台島２の方向の端部に固着したＬ型の取り付け板３８と、溝板３６の胴中間部の下側に固着し下端の把持部３９に止めネジ４０のネジ穴４１を設けたコ型の把持部材４２とで構成している。溝板３６は膳板３上に配置するにあたり、膳板３の先端部がパチンコ玉がこぼれないように土手状部４３としているので、溝板３６の下端も同様に段違い４４に形成している。
【００５２】  仕切り板９を取り付け器具２１によって遊技台島２へ取り付けるには、図６から図８で示したように、把持部材４２を膳板３の土手状部４３に被せ、取り付け板３８の先端部を遊技台島２に突き当てた状態で止めネジ４０で膳板３の下面を締め付け、把持部材４２を土手状部４３の上面に押圧固定する。また、図６では把持部材４２の上部先端を下方に折り曲げてこの曲接先端４５で膳板３の上面を押圧して固定するようにしているので、把持部材４２は手前方向に引張られても土手状部４３でズレが防止される。この取り付けにあたっては、取り付け板３８の下面に剥離紙を備えた両面接着紙４６を貼り付けて取り付け前の位置決めと左右のズレ防止の補強を兼ねる。
【００５３】  この取り付け器具２１によって、把持部材４２に横方向の衝撃が加わっても先端部の取り付け板３８が遊技台島２に当接しているのでズレが防止される。溝板３６には仕切り板９の下端部３５を挿入して双方のネジ穴４７、４８にワッシャー４９を介してネジ５０を貫通してナット５１で止着する。この取り付けで仕切り板９は、膳板３より手前方向の突出個所で長いスパンで保持されて、且つ止着されるので、樹脂板特有の曲げや割れなどの強度上の不安を解消することができる。
【００５４】  図１１および図１２は取り付け器具２０の水平差込板２２の他の実施例を示している。図１１は上端部１１のビス１８、１８の内側のみに水平差込板２２を形成した場合を示し、図１２は上端部１１のビス１８と同じ位置にビス穴５４を形成しておいて止着する場合を示している。何れの実施例に於いても、水平差込板２２は台間柱７の上端部１１の取り付けと共に遊技台島２に堅固に止着固定され、さらに取り付け板２３の接着によって左右のガタ付き防止および手前方向への抜けに対する補強がはかられる。
【００５５】  上述の遊技台島２の仕切り板９は、遊技台島２の上部横架部材５下部横架部材４および膳板３に直接的に止着固定され、さらには膳板３の手前個所にても止着固定されるのでこの取り付け状態は堅固なものとなり、この取り付けがビス穴等の加工を必要としないため取り外し後に於いても遊技台島２の外観が損なわれることがない。
【００５６】  図１３は台間柱７が湾曲している場合を示している。仕切り板９は台間柱７の前面に対向する縁部に溝ゴム５２を被せてこの間隙からタバコの煙が回ってくることを防止しているが、上記の場合は台間柱７の湾曲に沿って溝ゴム５２を台間柱７に押し付けて間隙を無くすことができる。
【００５７】  遊技台島２は現実には後方へ１°前後傾斜した状態で設置されており、一方、膳板３は水平となっているので、仕切り板９は図１４で示したように同様の傾斜で取りつくことになる。従って、仕切り板９の上端部のネジ穴３１と下端部の手前方向のネジ穴４８ａは長穴として傾きに合わせて調整できるようにしている。また、仕切り板９の下端部３５は遊技者の腕や肘の邪魔にならないように、下端部３５より連続して手前方向上方に切り欠き５３を形成している。
【００５８】  図１５〜図３２は取り付け器具の他の実施例を示している。
【００５９】  図１５〜図２１の取りつけ器具５４は、仕切り板９ａの下部が取り付けられるものであり、膳板３の上面を区画且つ間仕切りするようにして膳板３に取り付ける。
【００６０】  この取り付け器具５４は図２１で示したように、先端部５５の側面と下面に取り付け板５６を曲接形成した溝板５７と、この溝板５７の挿入間隙５８内にスライド自在に設けたスライド板５９とで構成している。溝板５７は間隔的に設けた２枚の板を仕切り板９ａが自在に挿入する挿入間隙５８を保持して他端の曲接部６０を固着している。この溝板５７は取り付け板５６側もしくは曲接部６０側さらには下端側を連続して折り曲げた１枚の構造とすることも考慮できる。
【００６１】  スライド板５９は胴部に長溝６１が穿設され、下端に形成した切り欠き６２に把持部材６３を固着している。把持部材６３は、コ型の上側に垂下部６４をさらに下側に把持部６５を設けている。このスライド板５９は図１７示したように、下端部６６が取り付け板７８の下端部６７と一致するようにして溝板５７の挿入間隙５８内に挿入され、長溝６１にはこれに対応する溝板５７の透穴６８に止めネジ６９を貫通し突出端にナット７０を螺着している。
【００６２】  上記に於いて、スライド板５９は溝板５７内にスライド自在に設けられ、溝板５７との止着および解除によって把持部材６３の位置を同様に移動および固定できる。
【００６３】  この取り付け器具５４を膳板３に固定するには、図１７で示したように取り付け板５６を台間柱７の前方に臨ませて把持部材６３で膳板３の土手状部４３を咥え、次いで溝板５７を移動して遊技台１の載置板７１の立ち上がり壁７２に取り付け板５６を突き当てた状態で、把持部６５のネジ穴７３に螺着した止めネジ７４で膳板３の下面を押圧もしくは螺着して土手状部４３に固定し、さらに取り付け板５６の止着穴７５を介して止めネジ７６で立ち上がり壁７２もしくはこの上方の台間柱７に固定する。
【００６４】  図１７では挿入間隙５８の間隔を一定とする上で、取り付け板５６と同様に止着穴７７を備えたＬ型の取り付け板７８を一体化してこの取り付け板５６と７８を重ねて止着するようにしているが、取り付け板５６を直設的に止着してもよい。またこの止着個所は、止着穴７９および止めネジ８０によって膳板３に固定することも考慮できる。
【００６５】  把持部材６３は上記の膳板３への取り付けにおいて、垂下部６４が土手状部４３を抱え込むようにして固定されるので膳板３の手前方向に加わる外力に対してもズレ動くことがない、また土手状部４３の上面の押圧面に両面接着テープ等を介在することで固定以前の仮止めと膳板３の左右方向へのズレ防止を計ることができる。この両面接着テープでの取り付けは、取り付け板５６および取り付け板７８と立ち上がり壁７２もしくは台間柱７との取り付けにおいても同様である。
【００６６】  上記の取り付け器具５４は膳板３への取り付けにおいて、スライド板５９を遊技台１の方向に移動して把持部材６３を膳板３の先端の立ち上がり部８１に密着させて行なうことで、取り付け器具５４は取り付け板５６箇所を支点とした左右方向の外力によるズレ防止が計られる。
【００６７】  上記の取り付け器具５４の膳板３への取り付けによって、膳板３の上面は取り付け板５６、７８および溝板５７とスライド板５９の下端に密着している。膳板３に設けられる灰皿は遊技者の左側、即ち、取りつけ器具５４の右側近傍に設けられているので、この置きタバコの煙は取り付け器具５４とさらに仕切り板９ａに遮断されて隣の遊技者に直接影響を及ぼすことがない。またスライド板５９は、膳板３の出巾に応じて移動しても下端は膳板３の上面の密着状態は変わらない。
【００６８】  ８２は溝板５７の挿入間隙５８内に配置したスペーサーであり、溝板５７の取り付け穴８３を介してナット８４を貫通して止めネジ８５を螺着して固着し、仕切り板９の挿入間隙巾を保持している。
【００６９】  仕切り板９ａは、この下端部を上記の取り付け器具５４の挿入間隙５８に上方より着脱自在に挿入して取り付けられるが、この下端部に形成した凹溝８６にスペーサー８２を嵌合して仕切り板９ａの前方への抜けを防止している。この取り付けにおいて、仕切り板９ａの台間柱７側の縁部８７は台間柱７の前面に当接して分煙をするが、前述のように溝ゴム５２を設けて密着性を向上させてもよい。
【００７０】  図３１と図３２は仕切り板９ａの取り付けにおいて、後述の仕切り板９ａの上部を取り付ける取り付け器具を使用しない取り付け例を示している。この場合、仕切り板９ａは台間柱７とその他の装置８との間に形成した間隙８９に挿入して遊技台島２側の取り付けに替えている。従って取り付け器具５４の取り付け板７８は間隙８９に対向し、この対向個所に形成した挿通溝９０に仕切り板９ａが自在に移動するようにしている。この仕切り板９ａの下端はスペーサー８２に載置支承されている。
【００７１】  上記の取り付け器具５４は図１５から図１７および図１９から図２１に示したように、遊技者側の溝板５７の曲接部６０箇所を箱状に曲接して腕置き台９１を装着する受け部９２を形成している。この受け部９２は、一対の立ち上がり部に案内溝９３を形成した凹型のガイド板９４と、ガイド板９４の底部の透穴９５に設けたナット９６と、このナット９６に螺合する操作ネジ９７とで構成している。ガイド板９４は溝板５７の受け部９２の内部に固着され、この案内溝９３に腕置き台９１の差込部９９を上方よりスライド自在に差し込んで腕置き台９１を装着している。
【００７２】  腕置き台９１は下側に蝶板１００を介して差込部９９を設けている。蝶板１００は一側を止めネジ１０１で腕置き台９１の下側に、他側を止めネジ１０２で差込部９９の上部水平個所１０３に夫々ネジ穴１０４、１０４に螺着して固定している。差込部９９の下端は水平に曲接して掛止部１０５を備えている。腕置き台９１はこの差込部９９を受け部９２の案内溝９３に差し込んで取り付けるが、このさいに掛止部１０５が操作ネジ９７の先端で支承されているので操作ネジ９７を回転操作して腕置き台９１の高さを調整することができる。
【００７３】  腕置き台９１は、遊技台１の開閉時の干渉を防止するために、蝶板１００による取り付けによって図１６で示したように仕切り板９ａ側に反転起立させて忌避することができる。この腕置き台９１は仕切り板９ａの切り欠き５３の側方に位置するため、該個所に腕を載せても仕切り板９ａが邪魔になることはない。
【００７４】  図２２から図２５は仕切り板９の上部を取り付ける取り付け器具１０６を示している。この取り付け器具１０６は、図２５で示したように上部曲接部１０７を仕切り板９ａの挿入間隙１０８を保持して固着した一対の溝板１０９と、この溝板１０９の一側に曲接形成した取り付け板１１０とで構成している。
【００７５】  溝板１０９の挿入間隙１０８には、スペーサー１１１を配置して間隙巾を保持し、このスペーサー１１１は溝板１０９の透穴１１２を貫通したナット１１３と止めネジ１１４で固着している。
【００７６】  取り付け器具１０６は台間柱７の上端部に取り付けるが、取り付け板１１０の透穴１１５に止めネジ１１６によって止着固定する。取り付け板１１０には両面接着テープ等を貼り付けておいて仮止めの後に止着することも考慮できる。
【００７７】  上記の取り付け器具１０６に仕切り板９ａを装着するには、仕切り板９ａの上部角の段部１１７を溝板１０９の挿入間隙１０８に挿入して、スペーサー１１１に該個所に形成した切り欠け部１１８を導入し、次いで図２２に示したように仕切り板９ａを降下して鉤状部１１９にスペーサー１１１が掛合して取りつけが完了する。この取り付けによって仕切り板９ａは前後方向の外れが防止される。
【００７８】  仕切り板９ａの取り付け器具１０６への取り付けと同時に、取り付け器具５４側においても前述のようにして行なわれる。また仕切り板９ａを外す場合は、段部１１７が溝板１０９の出巾を超えて形成されているので、上記の装着状態より、仕切り板９ａを持ち上げて鉤状部１１９がスペーサー１１１との掛合が外れた位置で外側に引いて行なう。
【００７９】  仕切り板９ａは上記の取り付け状態で、溝板１０９内に挟持されているので外力が加わっても溝板１０９全体の面で受けるため破損等の発生が防止される。
【００８０】  図２６〜図３０は取り付け器具の他の実施例を示している。この取り付け器具１２０は、仕切り板９ｂの上部の取り付け器具であり、台間柱７の上部個所に止着される。取り付け器具１２０は、一対の溝板１２１と、この溝板１２１と一体で曲折形成した取り付け板１２２、１２３とこの前面に固着した取り付け板１２４、１２５と、仕切り板９ｂの挿入間隙１２６を保持形成して溝板１２１の内部に配置したスペーサー１２７とで構成している。スペーサー１２７は溝板１２１の透穴１２８を貫通したナット１２９と止めネジ１３０との螺着で溝板１２１内に装着している。
【００８１】  この取り付け器具１２０は、取り付け板１２２、１２３および１２４、１２５の止着穴１３１、１３２を貫通して止めネジ１３３、１３４で台間柱７に止着している。仕切り板９ｂは台間柱７側の縁部に、上下方向に連続した切り欠き１３５を形成し、この切り欠き１３５は内縁の上部個所に凹部１３６を下部個所には鉤状部１３７を形成している。この仕切り板９を取り付け器具１２０に取り付けるには、図２８に示したように、切り欠き１３５内にスペーサー１２７が導入されるようにして、仕切り板９の上部を溝板１２１の挿入間隙１２６内に挿入し、次いで、仕切り板９ｂを降下して凹部１３６にスペーサー１２７を嵌めて装着する。この時、仕切り板９ｂの下部は前述と同様に取り付け器具５４に取り付けられる。
【００８２】  この取り付け器具１２０は、遊技者の出玉の入った玉箱を店側の人員が膳板３の上から床に下ろすサービスの際に、仕切り板９ｂが多少なりと邪魔になるので、仕切り板９ｂを一時的に持ち上げて掛止できるようにしている。即ち、図２９に示したように、切り欠き１３５の鉤状部１３７がスペーサー１２７に突き当たるまで仕切り板９ｂを持ち上げ、次いで、図３０に示したように仕切り板９ｂの下方の縁部を台間柱７に当てて支点として仕切り板９ｂの上部を手前に引き、鉤状部１３７がスペーサー１２７で掛止さた状態で仕切り板９ｂは一時的に掛止される。
【００８３】  玉箱の撤去後に、上記の逆操作を行なって仕切り板９ｂを原位置に復帰させる。この取り付け器具１２０は図２８に示したように、仕切り板９ｂの切り欠き１３５を隠すに充分な長さとしているので、仕切り板９ｂの切り欠き１３５は図２６、図２８の装着状態で露出することはない。またこの仕切り板９ｂを外す場合は前述と同様にして行なう。
【符号の説明】
【００８４】    １・・・遊技台
２・・・遊技台島
３・・・膳板
７・・・台間柱
９、９ａ、９ｂ・・・仕切り板
２１・・・取り付け器具
３６・・・溝板
３８・・・取り付け板
４２・・・把持部材
４３・・・土手状部
５４・・・取り付け器具
５６・・・取り付け板
５７・・・溝板
５８・・・挿入間隙
５９・・・スライド板
６１・・・長溝
６３・・・把持部材
８２・・・スペーサー
９１・・・腕置き台
９２・・・受け部
９７・・・操作ネジ
９９・・・差込部
１０５・・・掛止部
【図１】
2014131563.tif 000003
【図２】
2014131563.tif 000004
【図３】
2014131563.tif 000005
【図４】
2014131563.tif 000006
【図５】
2014131563.tif 000007
【図６】
2014131563.tif 000008
【図７】
2014131563.tif 000009
【図８】
2014131563.tif 000010
【図９】
2014131563.tif 000011
【図１０】
2014131563.tif 000012
【図１１】
2014131563.tif 000013
【図１２】
2014131563.tif 000014
【図１３】
2014131563.tif 000015
【図１４】
2014131563.tif 000016
【図１５】
2014131563.tif 000017
【図１６】
2014131563.tif 000018
【図１７】
2014131563.tif 000019
【図１８】
2014131563.tif 000020
【図１９】
2014131563.tif 000021
【図２０】
2014131563.tif 000022
【図２１】
2014131563.tif 000023
【図２２】
2014131563.tif 000024
【図２３】
2014131563.tif 000025
【図２４】
2014131563.tif 000026
【図２５】
2014131563.tif 000027
【図２６】
2014131563.tif 000028
【図２７】
2014131563.tif 000029
【図２８】
2014131563.tif 000030
【図２９】
2014131563.tif 000031
【図３０】
2014131563.tif 000032
【図３１】
2014131563.tif 000033
【図３２】
2014131563.tif 000034